(57)【要約】【課題】引戸が戸開方向に移動するときにシートと縦柱との間に異物が進入することを抑制することができる出入口装置を得る。【解決手段】乗場出入口１を開閉する第１の引戸３１と、乗場出入口１の側面を構成する縦枠２１と、第１の引戸３１に設けられ、第１の引戸３１の移動方向に互いに離れた一対のローラ４と、一対のローラ４を回転させるローラ駆動装置５と、両方のローラ４に渡って設けられ、縦枠２１に対向する第１の引戸３１の表面を覆い、ローラ４が回転することにより、第１の引戸３１の表面を覆う部分が第１の引戸３１の移動方向に第１の引戸３１の表面をスライドするシート６とを備え、ローラ駆動装置５は、第１の引戸３１が戸開方向に移動するときに、縦枠２１に対向する第１の引戸３１の表面を覆うシート６の部分が縦枠２１に対して戸閉方向に移動するようにローラ４を回転させる。【選択図】図２
2012236695.tif 000002
【特許請求の範囲】
【請求項１】
出入口を開閉する第１の引戸と、
前記出入口の側面を構成する縦柱とを備えた出入口装置であって、
前記第１の引戸に設けられ、前記第１の引戸の移動方向に互いに離れた一対のローラと、
一対の前記ローラのうちの少なくとも一方を回転させるローラ駆動装置と、
両方の前記ローラに渡って設けられ、前記縦柱に対向する前記第１の引戸の表面を覆い、前記ローラが回転することにより前記表面を覆う部分が前記第１の引戸の移動方向に前記表面をスライドするシートとをさらに備え、
前記ローラ駆動装置は、前記第１の引戸が戸開方向に移動するときに、前記表面を覆う前記シートの部分が前記縦柱に対して戸閉方向に移動するように前記ローラを回転させることを特徴とする出入口装置。
【請求項２】
前記ローラ駆動装置は、電流が供給されることにより回転力を発生し、前記回転力により前記ローラを回転させるモータを有していることを特徴とする請求項１に記載の出入口装置。
【請求項３】
前記ローラ駆動装置は、前記出入口に対して固定され前記第１の引戸の移動方向に延びたラックレールと、前記ラックレールに歯合するように前記第１の引戸に設けられ、前記第１の引戸が移動することにより回転するピニオンとを有し、前記ピニオンの回転力により前記ローラを回転させることを特徴とする請求項１に記載の出入口装置。
【請求項４】
前記第１の引戸と反対方向に移動し、前記第１の引戸とともに前記出入口を開閉する第２の引戸をさらに備え、
前記ローラ駆動装置は、前記第２の引戸に対して固定され前記第１の引戸の移動方向に延びたラックレールと、前記ラックレールに歯合するように前記第１の引戸に設けられ、前記第１の引戸および前記第２の引戸が移動することにより回転するピニオンとを有し、前記ピニオンの回転力により前記ローラを回転させることを特徴とする請求項１に記載の出入口装置。
【請求項５】
出入口を開閉する第１の引戸と、前記出入口の側面を構成する縦柱と、前記第１の引戸に設けられ、前記第１の引戸の移動方向に互いに離れて設けられた一対のローラと、一対の前記ローラのうちの少なくとも一方を回転させるローラ駆動装置と、両方の前記ローラに渡って設けられ、前記縦柱に対向する前記第１の引戸の表面を覆い、前記ローラが回転することにより前記表面を覆う部分が前記第１の引戸の移動方向に前記表面をスライドするシートとを備え、前記ローラ駆動装置は、電流が供給されることにより回転力を発生し、前記回転力により前記ローラを回転させるモータを有した出入口装置の制御方法であって、
前記第１の引戸が戸開方向に移動するときに、前記表面を覆う前記シートの部分が前記縦柱に対して戸閉方向に移動するように前記モータに電流が供給される戸開時シート戸閉方向移動工程を備えたことを特徴とする出入口装置の制御方法。
【請求項６】
前記第１の引戸が戸開方向に移動する前に、前記表面を覆う前記シートの部分が前記縦柱に対して戸閉方向に移動するように前記モータに電流が供給される戸開前シート戸閉方向移動工程をさらに備えたことを特徴とする請求項５に記載の出入口装置の制御方法。
【発明の詳細な説明】
【技術分野】
【０００１】
この発明は、引戸が出入口を開閉する出入口装置および出入口装置の制御方法に関する。
【背景技術】
【０００２】
従来、かご出入口を開閉する引戸と、かご出入口の側面を構成する出入口柱と、出入口柱に対向する引戸の表面を覆うように引戸に設けられ、引戸の表面に対して引戸の移動方向にスライドするシートと、引戸と出入口柱との間に位置するシートの部分を出入口柱に対して固定する固定装置とをさらに備えたかご出入口装置が知られている。引戸が戸開方向に移動するときに、引戸の表面を覆うシートの部分は、出入口柱に対して移動しない。これにより、引戸が戸開方向に移動するときに、シートと出入口柱との間に異物が引き込まれることが防止される（例えば、特許文献１参照）。
【先行技術文献】
【特許文献】
【０００３】
【特許文献１】特開２００７−１６８９５２号公報
【発明の概要】
【発明が解決しようとする課題】
【０００４】
しかしながら、引戸の表面を覆うシートの部分は、引戸が戸開方向に移動するときに出入口柱に対して移動しないので、引戸が戸開方向に移動するときにシートと出入口柱との間に異物が進入することを抑制することができないという問題点があった。
【０００５】
この発明は、引戸が戸開方向に移動するときにシートと縦柱との間に異物が進入することを抑制することができる出入口装置および出入口装置の制御方法を提供するものである。
【課題を解決するための手段】
【０００６】
この発明に係る出入口装置は、出入口を開閉する第１の引戸と、前記出入口の側面を構成する縦柱とを備えた出入口装置であって、前記第１の引戸に設けられ、前記第１の引戸の移動方向に互いに離れた一対のローラと、一対の前記ローラのうちの少なくとも一方を回転させるローラ駆動装置と、両方の前記ローラに渡って設けられ、前記縦柱に対向する前記第１の引戸の表面を覆い、前記ローラが回転することにより前記表面を覆う部分が前記第１の引戸の移動方向に前記表面をスライドするシートとをさらに備え、前記ローラ駆動装置は、前記第１の引戸が戸開方向に移動するときに、前記表面を覆う前記シートの部分が前記縦柱に対して戸閉方向に移動するように前記ローラを回転させる。
【０００７】
この発明に係る出入口装置の制御方法は、出入口を開閉する第１の引戸と、前記出入口の側面を構成する縦柱と、前記第１の引戸に設けられ、前記第１の引戸の移動方向に互いに離れて設けられた一対のローラと、一対の前記ローラのうちの少なくとも一方を回転させるローラ駆動装置と、両方の前記ローラに渡って設けられ、前記縦柱に対向する前記第１の引戸の表面を覆い、前記ローラが回転することにより前記表面を覆う部分が前記第１の引戸の移動方向に前記表面をスライドするシートとを備え、前記ローラ駆動装置は、電流が供給されることにより回転力を発生し、前記回転力により前記ローラを回転させるモータを有した出入口装置の制御方法であって、前記第１の引戸が戸開方向に移動するときに、前記表面を覆う前記シートの部分が前記縦柱に対して戸閉方向に移動するように前記モータに電流が供給される戸開時シート戸閉方向移動工程を備えている。
【発明の効果】
【０００８】
この発明に係る出入口装置によれば、第１の引戸に設けられ、第１の引戸の移動方向に互いに離れた一対のローラと、一対のローラのうちの少なくとも一方を回転させるローラ駆動装置と、両方のローラに渡って設けられ、縦柱に対向する第１の引戸の表面を覆い、ローラが回転することにより、縦柱に対向する第１に引戸の表面を覆う部分が第１の引戸の移動方向に、縦柱に対向する第１の引戸の表面をスライドするシートとを備え、ローラ駆動装置は、第１の引戸が戸開方向に移動するときに、縦柱に対向する第１の引戸の表面を覆うシートの部分が縦柱に対して戸閉方向に移動するようにローラを回転させるので、第１の引戸が戸開方向に移動するときに、縦柱に対向する第１の引戸の表面を覆うシートの部分が縦柱に対して戸閉方向に移動する。これにより、第１に引戸が戸開方向に移動するときにシートと縦柱との間に進入しようとする異物は、シートに接触することにより戸閉方向への押圧力を受ける。その結果、第１の引戸が戸開方向に移動するときにシートと縦柱との間に異物が進入することを抑制することができる。
【０００９】
この発明に係る出入口装置の制御方法によれば、第１の引戸が戸開方向に移動するときに、縦柱に対向する第１の引戸の表面を覆うシートの部分が縦柱に対して戸閉方向に移動するようにモータに電流が供給される戸開時シート戸閉方向移動工程を備えているので、第１の引戸が戸開方向に移動するときに、縦柱に対向する第１の引戸の表面を覆うシートの部分が縦柱に対して戸閉方向に移動する。これにより、第１に引戸が戸開方向に移動するときにシートと縦柱との間に進入しようとする異物は、シートに接触することにより戸閉方向への押圧力を受ける。その結果、第１の引戸が戸開方向に移動するときにシートと縦柱との間に異物が進入することを抑制することができる。
【図面の簡単な説明】
【００１０】
【図１】この発明の実施の形態１に係るエレベータ乗場出入口装置を示す正面図である。
【図２】図１のエレベータ乗場出入口装置の要部を示す平面図である。
【図３】図２のローラ駆動装置を示すブロック図である。
【図４】この発明の実施の形態２に係るエレベータ乗場出入口装置を示す平面図である。
【図５】図４のエレベータ乗場出入口装置を示す正面図である。
【図６】この発明の実施の形態３に係るエレベータ乗場出入口装置の要部を示す平面図である。
【図７】この発明の実施の形態４に係るエレベータ乗場出入口装置の要部を示す平面図である。
【発明を実施するための形態】
【００１１】
以下、この発明の各実施の形態を図に基づいて説明するが、各図において、同一または相当の部材、部位については、同一符号を付して説明する。
【００１２】
実施の形態１．
図１はこの発明の実施の形態１に係るエレベータ乗場出入口装置を示す正面図である。図において、エレベータ乗場には、乗場出入口（出入口）１が形成された乗場三方枠２が設けられている。また、エレベータ乗場には、乗場出入口１を開閉する引戸装置３が設けられている。乗場三方枠２は、乗場出入口１の縦方向に延びた一対の縦枠（縦柱）２１と、縦枠２１の上部に設けられた上枠２２とを有している。縦枠２１は、乗場出入口１の幅方向に離れて配置されている。上枠２２は、一対の縦枠２１に渡って設けられている。縦枠２１は、乗場出入口１の側面を構成している。上枠２２は、乗場出入口１の上面を構成している。
【００１３】
引戸装置３は、乗場出入口１の幅方向に移動する第１の引戸３１と、第１の引戸３１の移動方向に対して反対方向に移動する第２の引戸３２とを有している。第１の引戸３１および第２の引戸３２は、互いに共同して、乗場出入口１を開閉する。つまり、この例では、エレベータ乗場出入口装置は、いわゆるセンターオープン型のエレベータ乗場出入口装置となっている。第１の引戸３１および第２の引戸３２は、乗場出入口１が開く開位置と、乗場出入口１が閉じられる閉位置との間で変位する。この例では、第１の引戸３１の戸開方向とは、第１の引戸３１が閉位置から開位置に変位する方向である。また、第１の引戸３１の戸閉方向とは、戸開方向とは反対方向であり、第１の引戸３１が開位置から閉位置に変位する方向である。
【００１４】
図２は図１のエレベータ乗場出入口装置の要部を示す平面図である。図において、第１の引戸３１には、第１の引戸３１の移動方向に互いに離れた一対のローラ４が設けられている。ローラ４は、第１の引戸３１の幅方向両端部に配置されている。各ローラ４は、軸線方向が乗場出入口１の縦方向となるように配置されている。
【００１５】
また、第１の引戸３１には、両方のローラ４を駆動させるローラ駆動装置５が設けられている。図３は図２のローラ駆動装置５を示すブロック図である。図において、ローラ駆動装置５は、電源装置５１と、電源装置５１から電流が入力される制御装置５２と、制御装置５２から電流が供給されることにより回転力が発生するモータ５３とを有している。
【００１６】
制御装置５２は、第１の引戸３１の移動を制御する引戸移動制御装置（図示せず）と電気的に接続されている。制御装置５２には、第１の引戸３１を戸開方向に移動させることを示す戸開信号および第１の引戸３１を戸閉方向に移動させることを示す戸閉信号が引戸移動制御装置から入力される。制御装置５２は、戸開信号および戸閉信号に基づいて、モータ５３へ電流を供給する。ローラ４（図２）は、モータ５３に回転力が発生することにより回転する。ローラ４の回転速度は、制御装置５２からモータ５３に供給される電流値によって変化する。ローラ４の回転方向は、制御装置５２モータ５３に供給される電流の方向によって変化する。
【００１７】
また、第１の引戸３１には、図２に示すように、無端形状のシート６が設けられている。シート６は、両方のローラ４に渡って設けられている。また、シート６は、両方のローラ４に巻き掛けられている。また、シート６は、シート６の縦枠２１側の部分が縦枠２１に対向する第１の引戸３１の表面を覆い、シート６の反縦枠２１側の部分が第１の引戸３１の内部を通るように配置されている。また、シート６は、縦枠２１に対向する第１の引戸３１の表面を、第１の引戸３１の移動方向にスライドするようになっている。シート６の外周面には、宣伝広告が表示されている。また、シート６は、第１の引戸３１の縦方向の中間部に配置されている。なお、シート６は、第１の引戸３１の縦方向の全領域に配置してもよい。
【００１８】
図示していないが、第２の引戸３２（図１）にも、第１の引戸３１と同様にして、ローラ４、ローラ駆動装置５およびシート６が設けられている。
【００１９】
エレベータ乗場出入口装置は、乗場三方枠２、引戸装置３、ローラ４、ローラ駆動装置５およびシート６から構成されている。
【００２０】
次に、エレベータ乗場出入口装置の動作について説明する。この例では、第１の引戸３１に設けられたシート６の移動について説明するが、第２の引戸３２に設けられたシート６の移動についても場合も同様である。まず、第１の引戸３１が戸開方向に移動すると、制御装置５２は、モータ５３に電流を供給する。これにより、モータ５３には、回転力が発生し、この回転力によりローラ４が回転する。ローラ４が回転することにより、シート６が、縦枠２１に対向する第１の引戸３１の表面を、第１の引戸３１の戸閉方向にスライドする。このとき、縦枠２１に対向する第１の引戸３１の表面を覆うシート６の部分は、縦枠２１に対して第１の引戸３１の戸閉方向に移動する（戸開時シート戸閉方向移動工程）。第１の引戸３１の閉位置から開位置への変位が終了すると、制御装置５２は、モータ５３への電流の供給を停止する。これにより、第１の引戸３１に対するシート６のスライドが停止する。
【００２１】
第１の引戸３１の位置が開位置である状態が所定の時間だけ続いた後、第１の引戸３１が戸閉方向に移動する。このとき、制御装置５２は、戸開時とは逆方向の回転力が発生するようにモータ５３に電流を供給する。これにより、戸開時とは逆方向にローラ４が回転し、シート６が、縦枠２１に対向する第１の引戸３１の表面に対して、第１の引戸３１の戸開方向にスライドする。第１の引戸３１の開位置から閉位置への変位が終了すると、制御装置５２は、モータ５３への電流の供給を停止する。これにより、第１の引戸３１に対するシート６のスライドが停止する。
【００２２】
以上説明したように、この発明の実施の形態１に係るエレベータ乗場出入口装置によれば、第１の引戸３１に設けられ、第１の引戸３１の移動方向に互いに離れた一対のローラ４と、両方のローラ４を回転させるローラ駆動装置５と、両方のローラ４に渡って設けられ、縦枠２１に対向する第１の引戸３１の表面を覆い、ローラ４が回転することにより、縦枠２１に対向する第１の引戸３１の表面を覆う部分が第１の引戸３１の移動方向に、縦枠２１に対向する第１の引戸３１の表面をスライドするシート６とを備え、ローラ駆動装置５は、第１の引戸３１が戸開方向に移動するときに、縦枠２１に対向する第１の引戸３１の表面を覆うシート６の部分が縦枠２１に対して戸閉方向に移動するようにローラ４を回転させるので、第１の引戸３１が戸開方向に移動するときに、縦枠２１に対向する第１の引戸３１の表面を覆うシート６の部分が縦枠２１に対して戸閉方向に移動する。これにより、第１に引戸３１が戸開方向に移動するときにシート６と縦枠２１との間に進入しようとする異物は、シート６に接触することにより戸閉方向への押圧力を受ける。その結果、第１の引戸３１が戸開方向に移動するときにシート６と縦枠２１との間に異物が進入することを抑制することができる。
【００２３】
また、ローラ駆動装置５は、電流が供給されることにより回転力を発生し、この回転力によりローラ４を回転させるモータ５３を有しているので、モータ５３への電流値を変化させることにより、シート６の移動速度を容易に変化させることができる。
【００２４】
また、ローラ４が第１の引戸３１の戸閉方向端部に配置されているので、第１の引戸３１と第２の引戸３２との間に異物がある状態で第１の引戸３１が戸閉方向に移動すると、異物がシート６に接触する。異物がシート６に接触することにより、異物は乗場出入口１の奥行方向への押圧力を受ける。これにより、異物を第１の引戸３１と第２の引戸３２との間から排除することができる。その結果、第１の引戸３１と第２の引戸３２との間に異物が挟まれてしまうことを抑制することができる。
【００２５】
また、この発明の実施の形態１に係るエレベータ乗場出入口装置の制御方法によれば、第１の引戸３１が戸開方向に移動するときに、縦枠２１に対向する第１の引戸３１の表面を覆うシート６の部分が縦枠２１に対して戸閉方向に移動するようにモータ５３に電流が供給される戸開時シート戸閉方向移動工程を備えているので、第１の引戸３１が戸開方向に移動するときに、縦枠２１に対向する第１の引戸３１の表面を覆うシート６の部分が縦枠２１に対して戸閉方向に移動する。これにより、第１に引戸３１が戸開方向に移動するときにシート６と縦枠２１との間に進入しようとする異物は、シート６に接触することにより戸閉方向への押圧力を受ける。その結果、第１の引戸３１が戸開方向に移動するときにシート６と縦枠２１との間に異物が進入することを抑制することができる。
【００２６】
なお、上記実施の形態１では、第１の引戸３１が戸開方向に移動するときに、制御装置５２からモータ５３に電流が供給されて、シート６が移動する構成について説明したが、第１の引戸３１が戸開方向に移動する前に、制御装置５２からモータ５３に電流が供給されて、シート６が移動する構成であってもよい（戸開前シート戸閉方向移動工程）。これにより、第１の引戸３１が戸開方向に移動する前に、シート６に接触している異物に対して戸閉方向への押圧力を加えて、乗客に対して注意を喚起することができる。
【００２７】
また、上記実施の形態１では、電源装置５１、制御装置５２およびモータ５３を有したローラ駆動装置５について説明したが、モータ５３の回転速度を検出する角度検出装置をさらに有したローラ駆動装置５であってもよい。制御装置５２は、角度検出装置の検出結果を用いて、モータ５３に加えられている負荷の量を検出し、モータ５３に加えられている負荷量が所定の値を超えた場合に、シート６に異物が接触していることを検出するようにしてもよい。さらには、シート６に異物が接触していることが検出された場合には、第１の引戸３１および第２の引戸３２の移動を停止するようにしてもよい。
【００２８】
実施の形態２．
図４はこの発明の実施の形態２に係るエレベータ乗場出入口装置を示す平面図、図５は図４のエレベータ乗場出入口装置を示す正面図である。図において、ローラ駆動装置５は、第２の引戸３２に対して固定されたラックレール５４と、ラックレール５４に歯合するように第１の引戸３１に設けられたピニオン５５とを有している。ラックレール５４は、第１の引戸３１の移動方向に延びて配置されている。ピニオン５５は、第１の引戸３１および第２の引戸３２が移動することにより回転するようになっている。
【００２９】
第１の引戸３１に設けられた一対のローラ４のうちの一方は、ピニオン５５と同軸上に設けられている。ピニオン５５に発生する回転力は、ピニオン５５と同軸上に設けられたローラ４に伝達されるようになっている。ピニオン５５と同軸上に設けられたローラ４は、ピニオン５５の回転力により回転する。ローラ４の直径は、ピニオン５５の直径と同一となっている。
【００３０】
また、ローラ駆動装置５は、第１の引戸３１に対して固定されたラックレール５６と、ラックレール５６に歯合するように第２の引戸３２に設けられたピニオン５７とを有している。なお、エレベータ乗場出入口装置を分かりやすく示すために、図４には、ラックレール５６およびピニオン５７を記載していない。ラックレール５６は、第２の引戸３２の移動方向に延びて配置されている。ピニオン５７は、第１の引戸３１および第２の引戸３２が移動することにより回転するようになっている。
【００３１】
第２の引戸３２に設けられた一対のローラ４のうちの一方は、ピニオン５７と同軸上に設けられている。ピニオン５７に発生する回転力は、ピニオン５７と同軸上に設けられたローラ４に伝達されるようになっている。ピニオン５７と同軸上に設けられたローラ４は、ピニオン５７の回転力により回転する。ローラ４の直径は、ピニオン５７の直径と同一となっている。その他の構成は、実施の形態１と同様である。
【００３２】
次に、エレベータ乗場出入口装置の動作について説明する。この例では、第１の引戸３１に設けられたシート６の移動について説明するが、第２の引戸３２に設けられたシート６の移動についても場合も同様である。まず、第１の引戸３１および第２の引戸３２がそれぞれの戸開方向に移動すると、ピニオン５５は第１の引戸３１とともに第１の引戸３１の戸開方向に移動する。また、同時に、ラックレール５４は、第２の引戸３２とともに第２の引戸３２の戸開方向、つまり、第１の引戸３１の戸閉方向に移動する。これにより、ピニオン５５には回転力が発生し、第１の引戸３１に設けられたローラ４が回転する。このときのローラ４の回転速度は、ラックレール５４が乗場出入口１に対して固定され、そのラックレール５４上をピニオン５５が転動する場合と比較して、２倍の回転速度となる。
【００３３】
第１の引戸３１に設けられたローラ４が回転することにより、第１の引戸３１に設けられたシート６は、縦枠２１に対向する第１の引戸３１の表面を、第１の引戸３１の戸閉方向にスライドする。このとき、縦枠２１に対向する第１の引戸３１の表面を覆うシート６の部分は、縦枠２１に対して第１の引戸３１の戸閉方向に移動する。第１の引戸３１および第２の引戸３２の閉位置から開位置への変位が終了すると、第１の引戸３１および第２の引戸３２の移動が停止し、第１の引戸３１に対するシート６のスライドが停止する。
【００３４】
以上説明したように、この発明の実施の形態２に係るエレベータ乗場出入口装置によれば、第１の引戸３１と反対方向に移動し、第１の引戸３１とともに乗場出入口１を開閉する第２の引戸３２を備え、ローラ駆動装置５は、第２の引戸３２に対して固定され第１の引戸３１の移動方向に延びたラックレール５４と、ラックレール５４に歯合するように第１の引戸３１に設けられ、第１の引戸３１および第２の引戸３２が移動することにより回転するピニオン５５とを有し、ピニオン５５の回転力によりローラ４を回転させるので、簡単な構成で、第１の引戸３１の移動にともなってローラ４を回転させることができる。
【００３５】
実施の形態３．
図６はこの発明の実施の形態３に係るエレベータ乗場出入口装置の要部を示す平面図である。図において、ローラ駆動装置５は、乗場出入口１に対して固定されたラックレール５４と、ラックレール５４に歯合するように第１の引戸３１に設けられたピニオン５５とを有している。ラックレール５４は、第１の引戸３１の移動方向に延びて配置されている。また、ラックレール５４は、乗場三方枠２の上枠２２（図１）に固定されている。ピニオン５５は、第１の引戸３１が移動することにより回転するようになっている。
【００３６】
一対のローラ４のうちの一方は、ピニオン５５と同軸上に設けられている。ピニオン５５に発生する回転力は、ピニオン５５と同軸上に設けられたローラ４に伝達されるようになっている。ピニオン５５と同軸上に設けられたローラ４は、ピニオン５５の回転力により回転する。ローラ４の直径は、ピニオン５５の直径よりも大きくなっている。その他の構成は、実施の形態１と同様である。
【００３７】
次に、エレベータ乗場出入口装置の動作について説明する。第１の引戸３１が戸開方向に移動すると、ピニオン５５は、第１の引戸３１とともに戸開方向に移動する。これにより、ピニオン５５には回転力が発生し、ピニオン５５と同軸上に設けられたローラ４が回転する。
【００３８】
ピニオン５５と同軸上にローラ４が回転することにより、シート６は、縦枠２１に対向する第１の引戸３１の表面を、第１の引戸３１の戸閉方向にスライドする。このとき、ローラ４の直径がピニオン５５の直径よりも大きいので、縦枠２１に対向する第１の引戸３１の表面を覆うシート６の部分は、縦枠２１に対して第１の引戸３１の戸閉方向に移動する。第１の引戸３１の閉位置から開位置への変位が終了すると、第１の引戸３１の移動が停止し、第１の引戸３１に対するシート６のスライドが停止する。
【００３９】
以上説明したように、この発明の実施の形態３に係るエレベータ乗場出入口装置によれば、ローラ駆動装置５は、乗場出入口１に対して固定され第１の引戸３１の移動方向に延びたラックレール５４と、ラックレール５４に歯合するように第１の引戸３１に設けられ、第１の引戸３１が移動することにより回転するピニオン５５とを有し、ピニオン５５の回転力によりローラ４を回転させるので、簡単な構成で、第１の引戸３１の移動にともなってローラ４を回転させることができる。
【００４０】
実施の形態４．
図７はこの発明の実施の形態４に係るエレベータ乗場出入口装置の要部を示す平面図である。図において、ローラ駆動装置５は、乗場出入口１に対して固定されたラックレール５４と、ラックレール５４に歯合するように第１の引戸３１に設けられたラックレールピニオン５８と、ラックレールピニオン５８と歯合するように第１の引戸３１に設けられた倍速用ピニオン５９と、倍速用ピニオン５９と歯合するように第１の引戸３１に設けられたピニオン５５とを有している。
【００４１】
ラックレール５４は、第１の引戸３１の移動方向に延びて配置されている。また、ラックレール５４は、乗場三方枠２の上枠２２（図１）に固定されている。ラックレールピニオン５８は、第１の引戸３１が移動することにより回転するようになっている。倍速用ピニオン５９は、ラックレールピニオン５８の回転力により回転するようになっている。倍速用ピニオン５９の直径は、ラックレールピニオン５８の直径よりも小さくなっている。したがって、倍速用ピニオン５９は、ラックレールピニオン５８よりも速い回転速度で回転する。
【００４２】
ピニオン５５は、倍速用ピニオン５９の回転力により回転するようになっている。ピニオン５５の直径は、倍速用ピニオン５９の直径と同一となっている。したがって、ピニオン５５は、倍速用ピニオン５９と同一の回転速度で回転する。
【００４３】
一対のローラ４のうちの一方は、ピニオン５５と同軸上に設けられている。ピニオン５５に発生する回転力は、ピニオン５５と同軸上に設けられたローラ４に伝達されるようになっている。ピニオン５５と同軸上に設けられたローラ４は、ピニオン５５の回転力により回転する。ローラ４の直径は、ピニオン５５の直径よりも大きくなっている。その他の構成は、実施の形態１と同様である。
【００４４】
次に、エレベータ乗場出入口装置の動作について説明する。第１の引戸３１が戸開方向に移動すると、ラックレールピニオン５８は、第１の引戸３１とともに戸開方向に移動する。これにより、ラックレールピニオン５８には回転力が発生し、ラックレールピニオン５８に発生した回転力が倍速用ピニオン５９およびピニオン５５を介して、ピニオン５５と同軸上に設けられたローラ４に伝達される。これにより、ローラ４が回転する。
【００４５】
ローラ４が回転することにより、シート６は、縦枠２１に対向する第１の引戸３１の表面を、第１の引戸３１の戸閉方向にスライドする。このとき、ローラ４の直径がピニオン５５の直径よりも大きいので、縦枠２１に対向する第１の引戸３１の表面を覆うシート６の部分は、縦枠２１に対して第１の引戸３１の戸閉方向に移動する。第１の引戸３１の閉位置から開位置への変位が終了すると、第１の引戸３１の移動が停止し、第１の引戸３１に対するシート６のスライドが停止する。
【００４６】
以上説明したように、この発明の実施の形態４に係るエレベータ乗場出入口装置によれば、ローラ駆動装置５は、乗場出入口１に対して固定され第１の引戸３１の移動方向に延びたラックレール５４と、ラックレール５４に歯合するように第１の引戸３１に設けられたラックレールピニオン５８と、ラックレールピニオン５８と歯合するように第１の引戸３１に設けられた倍速用ピニオン５９と、倍速用ピニオン５９と歯合するように第１の引戸３１に設けられたピニオン５５とを有し、ラックレールピニオン５８の回転力が倍速用ピニオン５９およびピニオン５５を介してローラ４に伝達されて、ローラ４が回転するので、簡単な構成で、第１の引戸３１の移動にともなってローラ４を回転させることができる。
【００４７】
なお、各上記実施の形態では、出入口装置として、エレベータ乗場出入口装置を例に説明したが、エレベータかごに設けられるエレベータかご出入口装置であってもよく、また、エレベータに用いられる出入口装置に限らず、例えば、ホーム出入口装置など、その他の出入口装置であってもよい。
【００４８】
また、各上記実施の形態では、無端形状のシート６を備えたエレベータ乗場出入口装置の構成について説明したが、無端形状に限らず、両端が巻取り装置により、巻取りまたは送り出しが行われるシート６であってもよい。この場合、一方の巻取り装置がシート６を巻き取る場合に、他方の巻取り装置がシート６を送り出す。これにより、縦枠２１に対向する第１の引戸３１の表面を覆うシート６の部分が縦枠２１に対して第１の引戸３１の戸閉方向に移動するようにシート６がスライドする。この場合、シート６の表面積を増大することができるので、宣伝広告をより多く表示することができる。
【００４９】
また、各上記実施の形態では、互いに反対方向に移動する第１の引戸３１および第２の引戸３２を備えたいわゆるセンターオープン型のエレベータ乗場出入口装置について説明したが、上記実施の形態１、３および４では、いわゆる片側オープン型のエレベータ乗場出入口装置であってもよい。
【符号の説明】
【００５０】
１  乗場出入口（出入口）、２  乗場三方枠、３  引戸装置、４  ローラ、５  ローラ駆動装置、６  シート、２１  縦枠（縦柱）、２２  上枠、３１  第１の引戸、３２  第２の引戸、５１  電源装置、５２  制御装置、５３  モータ、５４  ラックレール、５５  ピニオン、５６  ラックレール、５７  ピニオン、５８  ラックレールピニオン、５９  倍速用ピニオン。
【図１】
2012236695.tif 000003
【図２】
2012236695.tif 000004
【図３】
2012236695.tif 000005
【図４】
2012236695.tif 000006
【図５】
2012236695.tif 000007
【図６】
2012236695.tif 000008
【図７】
2012236695.tif 000009